(57)【要約】【課題】照明装置が有する蓄電池の劣化度を管理することができる照明システムを提供する。【解決手段】照明システム１００が備える照明装置１０が有する第一制御部１８は、蓄電池１６を放電させた後、蓄電池１６を充電部１７に充電させ、当該充電によって満充電になったときの蓄電池１６の出力電圧値を示す電圧値情報を第一通信部１９に送信させる制御を行う。照明システム１００が備える情報端末３０は、第一通信部１９によって送信された電圧値情報を受信する第二通信部３１と、第二記憶部３３と、第二通信部３１によって受信された電圧値情報を第二記憶部３３に記憶する第二制御部３２とを有する。【選択図】図２
2018032474.tif 000002
【特許請求の範囲】
【請求項１】
照明装置と、
情報端末とを備え、
前記照明装置は、
光源と、
充電された電力を前記光源に供給する蓄電池と、
第一通信部と、
前記蓄電池を充電する充電部と、
前記蓄電池を放電させた後、前記蓄電池を前記充電部に充電させ、当該充電によって満充電になったときの前記蓄電池の出力電圧値を示す電圧値情報を第一通信部に送信させる制御を行う第一制御部とを有し、
前記情報端末は、
前記第一通信部によって送信された前記電圧値情報を受信する第二通信部と、
記憶部と、
前記第二通信部によって受信された前記電圧値情報を前記記憶部に記憶する第二制御部とを有する
照明システム。
【請求項２】
前記第一通信部は、さらに、前記制御の指示を受信し、
前記第一制御部は、前記第一通信部によって受信された前記指示に基づいて前記制御を行う
請求項１に記載の照明システム。
【請求項３】
前記照明装置は、さらに、時間を計測するタイマ部を有し、
前記第一制御部は、前記タイマ部が計測する時間に基づいて前記制御を定期的に行う
請求項１または２に記載の照明システム。
【請求項４】
前記照明装置は、さらに、電力系統からの電力を前記光源に供給するか、前記蓄電池に充電された電力を前記光源に供給するかを切り替える切替部を有し、
前記充電部は、前記切替部によって前記電力系統からの電力が前記光源に供給されている間、前記電力系統からの電力を用いて前記蓄電池をトリクル充電する
請求項１〜３のいずれか１項に記載の照明システム。
【請求項５】
前記照明装置は、さらに、前記電力系統からの電力の停止を検知する検知部を有し、
前記切替部は、前記検知部によって前記電力系統からの電力の停止が検知された場合に、前記蓄電池に充電された電力を前記光源に供給する
請求項４に記載の照明システム。
【請求項６】
前記第二制御部は、さらに、
前記第二通信部によって受信された前記電圧値情報が示す出力電圧値が所定値よりも低いか否かを判断し、
前記第二通信部によって受信された前記電圧値情報が示す出力電圧値が前記所定値よりも低いと判断された場合に、前記蓄電池が劣化していることを通知するための通知情報を出力する
請求項１〜５のいずれか１項に記載の照明システム。
【請求項７】
前記照明システムは、複数の前記照明装置を備える
請求項１〜６のいずれか１項に記載の照明システム。
【請求項８】
前記照明装置は、誘導灯である
請求項１〜７のいずれか１項に記載の照明システム。
【請求項９】
光源と、
充電された電力を前記光源に供給する蓄電池と、
通信部と、
前記蓄電池を充電する充電部と、
前記蓄電池を放電させた後、前記蓄電池を前記充電部に充電させ、当該充電によって満充電になったときの前記蓄電池の出力電圧値を示す電圧値情報を通信部に送信させる制御を行う制御部とを備える
照明装置。
【発明の詳細な説明】
【技術分野】
【０００１】
本発明は、蓄電池（二次電池）を有する照明装置を備える照明システムに関する。
【背景技術】
【０００２】
ビルの通路や部屋に設置される、非常灯または誘導灯などの防災用の照明装置が知られている（例えば、特許文献１参照）。このような照明装置は、通常時は電力系統（商用電源）から供給される電力によって光源を発光させる。一方で、このような照明装置は、蓄電池を有し、通常時には蓄電池を充電しておき、停電等の非常時に電力系統からの電力の供給が停止したときには、蓄電池に充電された電力を光源に供給することにより、一定期間光源を点灯させ、非常口への経路を示す。
【先行技術文献】
【特許文献】
【０００３】
【特許文献１】特開２０１０−２３１９９４号公報
【発明の概要】
【発明が解決しようとする課題】
【０００４】
上記のように非常時に光源を点灯させるには、蓄電池の劣化度（寿命の低下）を定期的に点検しておく必要がある。蓄電池の劣化度の点検方法として、照明装置が有する点検スイッチを作業者が押す方法がある。作業者が点検スイッチを押すと、蓄電池から供給される電力による光源の発光が開始される。作業者は、光源が消灯するまでの時間によって蓄電池の劣化度を判断することができる。しかしながら、このような人手による方法は、照明装置の数が多い場合等には非常に手間がかかる。
【０００５】
本発明は、照明装置が有する蓄電池の劣化度を管理することができる照明システム、及び、このような照明システムが備える照明装置を提供する。
【課題を解決するための手段】
【０００６】
本発明の一態様に係る照明システムは、照明装置と、情報端末とを備え、前記照明装置は、光源と、充電された電力を前記光源に供給する蓄電池と、第一通信部と、前記蓄電池を充電する充電部と、前記蓄電池を放電させた後、前記蓄電池を前記充電部に充電させ、当該充電によって満充電になったときの前記蓄電池の出力電圧値を示す電圧値情報を第一通信部に送信させる制御を行う第一制御部とを有し、前記情報端末は、前記第一通信部によって送信された前記電圧値情報を受信する第二通信部と、記憶部と、前記第二通信部によって受信された前記電圧値情報を前記記憶部に記憶する第二制御部とを有する。
【０００７】
本発明の一態様に係る照明装置は、光源と、充電された電力を前記光源に供給する蓄電池と、通信部と、前記蓄電池を充電する充電部と、前記蓄電池を放電させた後、前記蓄電池を前記充電部に充電させ、当該充電によって満充電になったときの前記蓄電池の出力電圧値を示す電圧値情報を通信部に送信させる制御を行う制御部とを備える。
【発明の効果】
【０００８】
本発明によれば、照明装置が有する蓄電池の劣化度を管理することができる。
【図面の簡単な説明】
【０００９】
【図１】図１は、実施の形態に係る照明システムに含まれる機器の外観図である。
【図２】図２は、実施の形態に係る照明システムの構成を示すブロック図である。
【図３】図３は、出力電圧値の低下を示す模式図である。
【図４】図４は、通知情報に基づいて表示される画像の一例を示す図である。
【図５】図５は、蓄電池の劣化度を示す画像の一例を示す図である。
【図６】図６は、照明装置の動作例１のフローチャートである。
【図７】図７は、照明装置の動作例２のフローチャートである。
【図８】図８は、情報端末の動作のフローチャートの一例である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［構成］
まず、実施の形態に係る照明システムの構成について説明する。図１は、実施の形態に係る照明システムに含まれる機器の外観図である。
【００１３】
図１に示されるように、照明システム１００は、１以上の照明装置（照明装置１０及び照明装置１０ａ）と、情報端末３０とを備える。図１では、照明システム１００は、２つの照明装置を備えるが、少なくとも１つの照明装置を備えればよい。
【００１４】
照明システム１００は、例えば、ビル内に配置された１以上の照明装置のそれぞれが有する蓄電池の劣化度を管理するためのシステムである。照明システム１００においては、劣化度を管理するためのパラメータとして、蓄電池の出力電圧値を示す電圧値情報が管理される。具体的には、複数の照明装置（照明装置１０及び照明装置１０ａ）のそれぞれは、当該照明装置が備える蓄電池の電圧値情報を情報端末３０に送信する。これにより、電圧値情報が情報端末３０に記憶される。複数の照明装置のそれぞれは、例えば、誘導灯であるが、非常灯などその他の照明装置であってもよい。照明システム１００は、言い換えれば、防災照明システムである。
【００１５】
次に、照明システム１００の機能構成について説明する。図２は、照明システム１００の機能構成を示すブロック図である。なお、照明システム１００に含まれる複数の照明装置の機能構成は、ほぼ同一であるため、図２では、照明装置１０のみが図示されている。照明装置１０ａについては照明装置１０と同様の機能構成であるため説明が省略される。
【００１６】
［照明装置］
まず、照明装置１０の詳細な構成について、図２を参照しながら説明する。実施の形態では、照明装置１０は、通常時には照明装置１０（誘導灯）の場所をユーザに認識させるために発光し、非常時には非常口を案内するために発光する誘導灯である。つまり、照明装置１０は、通常時においても非常時においても発光し続ける必要がある。
【００１７】
照明装置１０は、電力変換部１１と、切替部１２と、検知部１３と、点灯回路１４と、光源１５と、蓄電池１６と、充電部１７と、第一制御部１８と、第一通信部１９と、タイマ部２０と、第一記憶部２１とを備える。また、図２では、電力系統４０も図示されている。電力系統４０は、照明システムの外部に設けられた外部電源の一例である。
【００１８】
電力変換部１１は、電力系統４０から得られる交流電力を直流電力に変換し、変換によって得られる直流電力を切替部１２及び充電部１７に出力する。電力変換部１１は、具体的には、ダイオードブリッジからなる整流回路、及び、ＤＣ−ＤＣコンバータ回路等を含む電力変換回路である。
【００１９】
切替部１２は、電力系統４０からの電力を光源１５に供給するか、蓄電池１６に充電された電力を光源１５に供給するかを切り替える。切替部１２は、検知部１３から得られる検知信号に基づいて動作する切替回路である。なお、第一制御部１８によって点検制御が行われるときには、切替部１２は、第一制御部１８によって制御される。
【００２０】
切替部１２は、通常時には、電力変換部１１の出力と点灯回路１４の入力とを電気的に接続する。これにより、電力系統４０からの電力であって、電力変換部１１によって変換された後の電力（直流電力）が点灯回路１４に出力される。つまり、切替部１２は、電力系統４０からの電力を、電力変換部１１及び点灯回路１４を介して光源１５に供給する。
【００２１】
一方で、切替部１２は、非常時には、蓄電池１６の出力と点灯回路１４の入力とを電気的に接続する。これにより、蓄電池１６に充電された電力（直流電力）が点灯回路１４に出力される。つまり、蓄電池１６に充電された電力を、点灯回路１４を介して光源１５に供給する。切替部１２は、具体的には、スイッチング素子またはリレー素子等を用いた切替回路である。
【００２２】
なお、通常時とは、検知部１３によって電力系統４０からの電力の停止が検知されていないとき、すなわち、電力系統４０から正常に電力が供給されているときを意味する。異常時とは、検知部１３によって電力系統４０からの電力の停止が検知されているとき（電力系統４０からの電力が停止してから当該電力の供給が再開されるまでの間）を意味する。
【００２３】
検知部１３は、電力系統４０からの電力の停止を検知する。検知部１３は、例えば、電力系統４０からの電力の停止を検知したときにハイレベル、電力系統４０からの電力が正常に供給されているときにローレベルとなる検知信号（デジタル信号）を出力する停電検知回路である。上述の切替部１２は、このような検知信号に基づいて動作する。
【００２４】
点灯回路１４は、切替部１２から出力される電力を、光源１５に適した直流電力に変換して出力する。点灯回路１４は、例えば、半導体スイッチング素子を含むスイッチング電源回路である。
【００２５】
光源１５は、電力変換部１１（電力系統４０）及び蓄電池１６のいずれか一方から、点灯回路１４を介して得られる電力によって発光する。光源１５は、例えば、発光素子としてＬＥＤを有するＬＥＤモジュールであるが、有機ＥＬまたは無機ＥＬなどのその他の発光素子を用いた発光モジュールであってもよい。光源１５は、例えば、白色光を発するが、その他の色の光を発してもよい。
【００２６】
蓄電池１６は、光源１５に電力を供給する電源である。蓄電池１６は、例えば、電力系統４０からの電力の供給が停止されたときに、非常用の電源として使用される。蓄電池１６は、例えば、ニッケル水素電池である。蓄電池１６は、充電及び放電が可能な蓄電池であればよく、リチウムイオン電池または鉛蓄電池等であってもよい。
【００２７】
充電部１７は、電力系統４０からの電力であって、電力変換部１１によって変換された後の電力（直流電力）によって蓄電池１６を充電する。つまり、充電部１７は、電力系統４０からの電力を用いて蓄電池１６を充電する。充電部１７は、例えば、充電回路によって実現される。
【００２８】
充電部１７は、通常時、つまり、切替部１２によって電力系統４０からの電力が光源１５に供給されている間、電力系統４０からの電力を用いて蓄電池１６をトリクル充電する。蓄電池１６は、満充電状態であっても時間の経過により自然放電によって充電量が減っていく。トリクル充電は、自然放電によって減っていく充電量を補うために微小電流によって常に充電を行う充電方法である。トリクル充電によれば、蓄電池１６は、常に満充電状態となる。
【００２９】
また、充電部１７は、後述の点検制御において放電が完了した後の充電を行う。この充電は、トリクル充電とは異なり、トリクル充電よりも大きい電流によって行われる通常の充電である。なお、この充電中には、第一制御部１８が切替部１２を制御することによって電力変換部１１の出力が点灯回路１４の入力に電気的に接続される。このため、光源１５は、点灯制御中には、蓄電池１６が充電されていても発光する。
【００３０】
第一制御部１８は、主として蓄電池１６の充電及び放電を制御する。第一制御部１８は、具体的には、蓄電池１６を放電させた後、充電部１７に蓄電池１６を充電させ、当該充電によって満充電になったときの蓄電池１６の出力電圧値を示す電圧値情報を第一通信部１９に送信させる制御を行う。以下、このような制御を点検制御とも記載する。
【００３１】
第一制御部１８は、上記点検制御において蓄電池１６を放電する場合、切替部１２を制御することにより、蓄電池１６の出力と点灯回路１４の入力とを電気的に接続する。言い換えれば、蓄電池１６を負荷に電気的に接続する。これにより、蓄電池１６に充電された電力は、光源１５の発光により消費される。つまり、蓄電池１６が放電される。放電は、例えば、蓄電池１６の容量が０になるまで行われる。
【００３２】
また、第一制御部１８は、蓄電池１６の放電の完了後、充電部１７に蓄電池１６を充電させる。そして、第一制御部１８は、この充電によって満充電になったときの蓄電池１６の出力電圧値を検出し、検出された出力電圧値を示す電圧値情報を第一通信部１９に送信させる。
【００３３】
なお、電圧値情報は、例えば、「２．１Ｖ」のように、検出された出力電圧値を直接的に示す情報であるが、「８０％」のように、検出した出力電圧値の初期値（蓄電池１６の導入当初における出力電圧値）に対する比率（割合）であってもよい。電圧値情報が検出された出力電圧値の初期値に対する比率である場合、第一記憶部２１には、初期値が記憶され、第一制御部１８は、電圧値情報を生成する際に初期値を用いた演算を行う。
【００３４】
なお、第一制御部１８は、タイマ部２０によって計測された日時に基づいて点灯制御が行われた日時（電圧値情報が送信された日時）を示す日付情報を生成し、生成した日付情報を第一通信部１９に送信させてもよい。
【００３５】
以上のような第一制御部１８は、例えば、プロセッサ、マイクロコンピュータ、または専用回路によって実現されるが、プロセッサ、マイクロコンピュータ、及び専用回路の組み合わせによって実現されてもよい。第一制御部１８の具体的な態様については特に限定されない。
【００３６】
第一通信部１９は、第一制御部１８によって生成された電圧値情報を無線通信によって第二通信部３１に送信する。照明システム１００に複数の照明装置が含まれる場合には、第一通信部１９は、当該電圧値情報の検出対象となった蓄電池１６を有する照明装置のＩＤをさらに送信してもよい。また、第一通信部１９は、点検制御が行われた日時を示す日付情報を送信してもよい。
【００３７】
また、第一通信部１９は、情報端末３０など、照明装置１０の外部に配置された装置から点灯制御の指示（点灯制御を開始するためのトリガ信号）を無線通信によって受信する。第一通信部１９は、具体的には、無線通信用の通信モジュール（通信回路）である。なお、無線通信は、電波通信であってもよいし、光無線通信であってもよい。電波通信は、赤外線よりも波長が長い電磁波を用いた通信であり、光無線通信は、赤外線から可視光線までの間の波長の電磁波を用いた通信である。
【００３８】
タイマ部２０は、時間を計測する。タイマ部２０は、例えば、現在の日時（年月日を含む）を計測する。タイマ部２０は、具体的には、タイマ回路、または、リアルタイムクロックＩＣなどであるが、どのような態様であってもよい。タイマ部２０が計測した時間を示す時間情報は、第一制御部１８に出力される。タイマ部２０は、点灯制御を定期的に行うために用いられる。
【００３９】
第一記憶部２１は、第一制御部１８がプロセッサ等を含む場合に、第一制御部１８が実行する制御プログラムなどが記憶される記憶装置である。第一記憶部２１には、照明装置１０のＩＤ、及び、蓄電池１６の出力電圧値の初期値などが記憶されてもよい。第一記憶部２１は、具体的には、半導体メモリなどによって実現される。
【００４０】
［情報端末］
次に、情報端末３０の詳細な構成について、引き続き図２を参照しながら説明する。情報端末３０は、照明装置１０の電圧値情報を管理する装置である。実施の形態では、情報端末３０は、タブレット端末であるが、スマートフォンまたはパーソナルコンピュータであってもよい。また、情報端末３０は、サーバ装置であってもよい。情報端末３０は、第二通信部３１と、第二制御部３２と、第二記憶部３３と、表示部３４と、入力受付部３５とを備える。
【００４１】
第二通信部３１は、第一通信部１９によって送信された電圧値情報を受信する。照明システム１００に複数の照明装置が含まれる場合には、第二通信部３１は、受信された電圧値情報の検出対象となった蓄電池１６を有する照明装置のＩＤも受信する。また、第二通信部３１は、第二制御部３２の制御に基づいて、点灯制御の指示を照明装置１０の第一通信部１９に送信する。第二通信部３１は、具体的には、無線通信用の通信モジュール（通信回路）である。なお、無線通信は、電波通信であってもよいし、光無線通信であってもよい。
【００４２】
第二制御部３２は、第二通信部３１によって受信された電圧値情報を第二記憶部３３に記憶する。照明システム１００に複数の照明装置が含まれる場合には、第二制御部３２は、第二通信部３１によって受信された電圧値情報を照明装置のＩＤと対応付けて第二記憶部３３に記憶する。第二制御部３２は、照明装置１０の電圧値情報が既に第二記憶部３３に記憶されている状態で、照明装置１０の電圧値情報をさらに記憶する場合、照明装置１０の電圧値情報を更新（上書き）してもよい。
【００４３】
また、第二制御部３２は、第二通信部３１によって受信された電圧値情報が示す出力電圧値が所定値よりも低いか否かを判断する。図３に示されるように、蓄電池１６は、特に使用されていない場合（トリクル充電のみが行われている場合）であっても、徐々に経年劣化し、出力電圧値が低下していく。図３は、出力電圧値の低下を示す模式図である。なお、図３の縦軸は、出力電圧値の初期値（蓄電池１６の導入当初における出力電圧値）に対する比率を示している。
【００４４】
出力電圧値の低下は、蓄電池１６の劣化度（寿命の低下）を示すといえる。出力電圧値が低いほど、劣化度が高い（劣化が進行している）といえる。そこで、第二制御部３２は、第二通信部３１によって受信された電圧値情報が所定値よりも低いと判断された場合には、通知情報を出力する。
【００４５】
通知情報は、蓄電池１６が劣化していることをユーザに通知するための情報である。通知情報は、例えば、画像情報であり、表示部３４に対して出力される。この結果、図４に示されるような画像が表示部３４に表示されるため、照明システム１００は、蓄電池１６が劣化していることをユーザに通知することができる。図４は、通知情報に基づいて表示される画像の一例を示す図である。
【００４６】
なお、情報端末３０がサーバ装置等である場合、通知情報は、情報端末３０以外の他の情報端末（タブレット端末またはスマートフォンなど）に送信されてもよい。この場合、第二制御部３２は、通知情報を第二通信部３１に出力し、第二通信部３１は、通知情報を他の情報端末に送信する。
【００４７】
また、第二制御部３２の判断に用いられる所定値は、単位［Ｖ］で示される絶対的な電圧値(例えば、２．１Ｖなど)であってもよいが、照明システム１００に含まれる各照明装置の導入当初における出力電圧値（電圧値情報）が初期値として第二記憶部３３に記憶される場合には、初期値×所定比率（例えば、６０％など）、照明装置ごとに異なる値であってもよい。
【００４８】
以上のような第二制御部３２は、例えば、プロセッサ、マイクロコンピュータ、または専用回路によって実現されるが、プロセッサ、マイクロコンピュータ、及び専用回路の組み合わせによって実現されてもよい。第二制御部３２の具体的な態様については特に限定されない。
【００４９】
第二記憶部３３は、電圧値情報が、照明装置のＩＤ及び日付情報などと対応付けられて記憶される記憶装置である。電圧値情報が照明装置のＩＤ及び日付情報などと対応付けられた情報を、劣化度情報とも記載する。第二記憶部３３には、第二制御部３２によって実行される制御プログラム、及び、上記第二制御部３２の判断に使用される所定値に関する情報（初期値、所定値、所定値の算出に用いられる所定比率などのパラメータ等）も記憶される。第二記憶部３３は、具体的には、半導体メモリなどによって実現される。
【００５０】
表示部３４は、第二制御部３２によって出力される通知情報（画像情報）に基づいて、画像を表示する。表示部３４は、例えば、通知情報に基づいて、図４に示されるような画像を表示する。表示部３４は、具体的には、液晶パネル、または、有機ＥＬパネルなどによって実現される。
【００５１】
入力受付部３５は、ユーザの入力を受け付けるユーザインタフェースである。例えば、入力受付部３５は、点灯制御を開始するための入力をユーザから受け付ける。そうすると、第二制御部３２は、第二通信部３１に点灯制御の指示を送信させる。送信された点灯制御の指示は、照明装置１０の第一通信部１９によって受信される。
【００５２】
また、入力受付部３５は、蓄電池１６の劣化度を表示するための入力をユーザから受け付ける。そうすると、第二制御部３２は、第二記憶部３３に記憶された劣化度情報を参照し、参照した劣化度情報に基づいて、図５に示されるような蓄電池１６の劣化度を示す画像を表示部３４に表示させる。図５は、蓄電池１６の劣化度を示す画像の一例を示す図である。図５においては、複数の蓄電池の劣化度がリスト表示されている。なお、劣化度は、蓄電池１６の出力電圧値の初期値に対する比率［％］で表現されている。
【００５３】
入力受付部３５は、具体的には、タッチパネルであるが、情報端末３０がパーソナルコンピュータである場合には、キーボード及びマウスなどであってもよい。
【００５４】
［照明装置の動作例１］
次に、照明装置１０が点検制御を行うときの動作例１についてフローチャートを参照しながら説明する。図６は、照明装置１０の動作例１のフローチャートである。
【００５５】
動作例１では、第一制御部１８は、タイマ部２０が計測する時間に基づいて点検制御を定期的に行う。点検制御は、通常時に行われ、非常時には行われない。したがって、動作例１は、通常時であることが前提となる。
【００５６】
上述のように、通常時には、充電部１７は、蓄電池１６をトリクル充電している（Ｓ１１）。このとき、第一制御部１８は、タイマ部２０が計測する時間に基づいて、最後に点検制御が行われてから所定時間が経過したかどうかを判定する（Ｓ１２）。所定時間は、例えば、６カ月であるが、特に限定されない。
【００５７】
第一制御部１８は、所定時間が経過していないと判定した場合（Ｓ１２でＮｏ）、所定時間が経過するまで判定を継続する（Ｓ１２）。第一制御部１８は、所定時間が経過したと判定した場合（Ｓ１２でＹｅｓ）、蓄電池１６を放電させる（Ｓ１３）。第一制御部１８は、具体的には、まず、充電部１７によるトリクル充電を停止させる。そして、第一制御部１８は、切替部１２を制御することにより、蓄電池１６に充電された電力を光源１５に供給することで蓄電池１６を放電させる。言い換えれば、第一制御部１８は、切替部１２を制御することにより、蓄電池１６の出力と点灯回路１４の入力とを電気的に接続することで、蓄電池１６を放電させる。第一制御部１８は、例えば、蓄電量が０になるまで蓄電池１６を放電させるが、蓄電量がある程度低下するまで蓄電池を放電させればよい。
【００５８】
次に、第一制御部１８は、充電部１７に蓄電池１６を充電させる（Ｓ１４）。この充電は、ステップＳ１１において行われるトリクル充電とは異なり、トリクル充電よりも大きい電流によって行われる通常の充電である。
【００５９】
蓄電池１６が満充電されると、第一制御部１８は、蓄電池１６の出力電圧値を検出する（Ｓ１５）。次に、第一制御部１８は、検出された出力電圧値を示す電圧値情報を生成し、生成した電圧値情報を第一通信部１９に送信させる（Ｓ１６）。
【００６０】
このように、照明システム１００においては、定期的に点検制御が行われ、点検制御によって送信される電圧値情報が情報端末３０に記憶される。つまり、照明システム１００は、電圧値情報を劣化度として管理することができる。また、このように定期的に点検制御が行われれば、人手によって照明装置１０の点検を行う必要がなくなる。
【００６１】
［照明装置の動作例２］
次に、照明装置１０が点検制御を行うときの動作例２についてフローチャートを参照しながら説明する。図７は、照明装置１０の動作例２のフローチャートである。
【００６２】
動作例２では、第一制御部１８は、第一通信部１９によって受信された点灯制御の指示に基づいて点検制御を行う。なお、以下の動作例２の説明において、動作例１と重複する内容については、説明が適宜省略される。
【００６３】
充電部１７は、蓄電池１６をトリクル充電している（Ｓ１１）。このとき、第一制御部１８は、第一通信部１９が点灯制御の指示を受信したかどうかを判定する（Ｓ１７）。
【００６４】
第一制御部１８は、第一通信部１９が点灯制御の指示を受信していないと判定した場合（Ｓ１７でＮｏ）、第一通信部１９によって点灯制御の指示が受信されるまで判定を継続する（Ｓ１７）。第一制御部１８は、第一通信部１９によって点灯制御の指示が受信されたと判定した場合（Ｓ１７でＹｅｓ）、点灯制御（Ｓ１３〜Ｓ１６）を行う。点灯制御については動作例１と同様である。
【００６５】
なお、点灯制御の指示は、例えば、情報端末３０が備える入力受付部３５がユーザの入力を受け付けることにより、第二通信部３１によって送信されるが、他の情報端末、または、照明装置１０の専用リモートコントローラなどによって送信されてもよい。
【００６６】
このように、点検制御は、ユーザの指示に基づいて行われてもよい。また、動作例１と動作例２とが組み合わされてもよい。つまり、点検制御は、原則として定期的に行われるが、ユーザからの指示があったときも行われてもよい。
【００６７】
［情報端末の動作例］
次に、情報端末３０の動作例についてフローチャートを参照しながら説明する。図８は、情報端末３０の動作のフローチャートの一例である。
【００６８】
まず、情報端末３０が備える第二通信部３１は、上記ステップＳ１６において第一通信部１９によって送信された電圧値情報を受信する（Ｓ２１）。第二制御部３２は、第二通信部３１によって受信された電圧値情報を第二記憶部３３に記憶する（Ｓ２２）。
【００６９】
次に、第二制御部３２は、第二通信部３１によって受信された電圧値情報（第二記憶部３３に記憶された電圧値情報）が示す出力電圧値が所定値よりも低いか否かを判断する（Ｓ２３）。上述のように、第二記憶部３３には、電圧値情報と、所定値に関する情報とが記憶されているため、第二制御部３２は、第二記憶部３３を参照することによりステップＳ２３の判断を行うことができる。
【００７０】
第二通信部３１によって受信された電圧値情報が示す出力電圧値が所定値以上であると判断された場合（Ｓ２３でＮｏ）、情報端末３０の動作は終了となる。第二通信部３１によって受信された電圧値情報が示す出力電圧値が所定値よりも低いと判断された場合（Ｓ２３でＹｅｓ）、第二制御部３２は、蓄電池１６が劣化していることを通知するための通知情報を出力する（Ｓ２４）。
【００７１】
例えば、通知情報が表示部３４に出力されれば、表示部３４に図４に示されるような画像が表示される。また、通知情報が第二通信部３１に出力され、出力先の第二通信部３１によって他の情報端末に送信されれば、他の情報端末の表示部に図４に示されるような画像が表示される。
【００７２】
上記ステップＳ２２のように電圧値情報を含む劣化度情報が第二記憶部３３に記憶されれば、表示部３４に図５に示されるような画像を表示することが可能となる。このような画像により、ユーザは、蓄電池１６の劣化度を認識することができる。
【００７３】
また、上記ステップＳ２４のように通知情報が出力されれば、表示部３４に図４に示されるような画像を表示することが可能となる。このような画像により、ユーザは、蓄電池１６の劣化（交換時期）を認識することができる。
【００７４】
なお、通知情報の出力は、段階的に行われてもよい。例えば、図８において説明した所定値を第１所定値とすると、第二制御部３２は、さらに、第二通信部３１によって受信された電圧値情報が示す出力電圧値が第１所定値よりも低い第２所定値よりも低いか否かを判断してもよい。そして、図８において説明した、通知情報を第１通知情報とすると、第二通信部３１によって受信された電圧値情報が示す出力電圧値が第２所定値よりも低いと判断された場合に、蓄電池１６が劣化していることを通知するための第２通知情報を出力してもよい。この場合、第２通知情報は、第１通知情報とは異なる通知情報であって、第１通知情報よりも緊急性の高い通知を行うための情報となる。
【００７５】
［効果等］
以上説明したように、照明システム１００は、照明装置１０と、情報端末３０とを備える。照明装置１０は、光源１５と、充電された電力を光源１５に供給する蓄電池１６と、第一通信部１９と、蓄電池１６を充電する充電部１７と、第一制御部１８とを有する。第一制御部１８は、蓄電池１６を放電させた後、蓄電池１６を充電部１７に充電させ、当該充電によって満充電になったときの蓄電池１６の出力電圧値を示す電圧値情報を第一通信部１９に送信させる制御（点検制御）を行う。情報端末３０は、第一通信部１９によって送信された電圧値情報を受信する第二通信部３１と、第二記憶部３３と、第二通信部３１によって受信された電圧値情報を第二記憶部３３に記憶する第二制御部３２とを有する。
【００７６】
これにより、照明装置１０が備える蓄電池１６の電圧値情報が第二記憶部３３に記憶されるため、照明システム１００は、上記電圧値情報を劣化度として管理することができる。例えば、第二記憶部３３に記憶された電圧値情報に基づき、図５に示されるような画像が表示されれば、ユーザは、蓄電池１６の劣化度を認識することができる。
【００７７】
また、第一通信部１９は、さらに、点検制御の指示を受信し、第一制御部１８は、第一通信部１９によって受信された指示に基づいて点検制御を行ってもよい。
【００７８】
これにより、第一制御部１８は、指示に基づいて点検制御を行うことができる。
【００７９】
また、照明装置１０は、さらに、時間を計測するタイマ部２０を有し、第一制御部１８は、タイマ部２０が計測する時間に基づいて点検制御を定期的に行ってもよい。
【００８０】
これにより、第一制御部１８は、点検制御を定期的に行うことができる。
【００８１】
また、照明装置１０は、さらに、電力系統４０からの電力を光源１５に供給するか、蓄電池１６に充電された電力を光源１５に供給するかを切り替える切替部１２を有してもよい。充電部１７は、切替部１２によって電力系統４０からの電力が光源１５に供給されている間、電力系統４０からの電力を用いて蓄電池１６をトリクル充電してもよい。
【００８２】
これにより、光源１５は、電力系統４０からの電力供給が途絶えた場合であっても、蓄電池１６の電力によって発光することができる。
【００８３】
また、照明装置１０は、さらに、電力系統４０からの電力の停止を検知する検知部１３を有してもよい。切替部１２は、検知部１３によって電力系統４０からの電力の停止が検知された場合に、蓄電池１６に充電された電力を光源１５に供給してもよい。
【００８４】
これにより、光源１５は、電力系統４０からの電力の停止が検知された場合であっても、蓄電池１６の電力によって発光することができる。
【００８５】
また、第二制御部３２は、さらに、第二通信部３１によって受信された電圧値情報が示す出力電圧値が所定値よりも低いか否かを判断してもよい。第二制御部３２は、第二通信部３１によって受信された電圧値情報が示す出力電圧値が所定値よりも低いと判断された場合に、蓄電池１６が劣化していることを通知するための通知情報を出力してもよい。
【００８６】
これにより、照明システム１００は、蓄電池１６の劣化をユーザに通知することができる。
【００８７】
また、照明システム１００は、複数の照明装置（照明装置１０及び照明装置１０ａ）を備えてもよい。
【００８８】
これにより、複数の蓄電池の電圧値情報が第二記憶部３３に記憶されるため、照明システム１００は、複数の蓄電池の劣化度を管理することができる。
【００８９】
また、照明装置１０は、誘導灯であってもよい。
【００９０】
これにより、照明システム１００は、誘導灯が備える蓄電池１６の劣化度を管理することができる。
【００９１】
（その他の実施の形態）
以上、実施の形態に係る照明システムについて説明したが、本発明は、上記実施の形態に限定されるものではない。
【００９２】
上記実施の形態で説明した装置間の通信方法は、一例である。装置間の通信方法については特に限定されるものではない。装置間では、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われる。
【００９３】
また、装置間においては、無線通信に代えて、電力線搬送通信（ＰＬＣ：Ｐｏｗｅｒ  Ｌｉｎｅ  Ｃｏｍｍｕｎｉｃａｔｉｏｎ）または有線ＬＡＮを用いた通信など、有線通信が行われてもよい。
【００９４】
また、装置間の通信においては、ルータなどの通信装置が情報の中継を行ってもよいし、一の照明装置が他の照明装置が送信した情報を中継してもよい。また、装置間の通信は、インターネットなどの広域ネットワークを通じて行われてもよい。
【００９５】
また、例えば、上記実施の形態において、特定の処理部が実行する処理を別の処理部が実行してもよい。また、上記実施の形態において説明された照明システムの動作における複数の処理の順序は一例である。複数の処理の順序が変更されてもよいし、複数の処理が並行して実行されてもよい。
【００９６】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００９７】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【００９８】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、上記照明装置または情報端末として実現されてもよいし、照明装置が備える蓄電池の劣化度の管理方法、照明装置の制御方法、または、情報端末の制御方法として実現されてもよい。また、本発明は、これらの方法をコンピュータに実行させるためのプログラムとして実現されてもよい。
【００９９】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１００】
１０、１０ａ  照明装置
１２  切替部
１３  検知部
１５  光源
１６  蓄電池
１７  充電部
１８  第一制御部（制御部）
１９  第一通信部（通信部）
２０  タイマ部
３０  情報端末
３１  第二通信部
３２  第二制御部
３３  第二記憶部（記憶部）
４０  電力系統
１００  照明システム
【図１】
2018032474.tif 000003
【図２】
2018032474.tif 000004
【図３】
2018032474.tif 000005
【図４】
2018032474.tif 000006
【図５】
2018032474.tif 000007
【図６】
2018032474.tif 000008
【図７】
2018032474.tif 000009
【図８】
2018032474.tif 000010